(57)【要約】【課題】ゲルマニウムを利用した健康回復具，健康治療具としての機能を有効に奏する。【解決手段】時計本体１の裏蓋１２の外側面１２ｃの一部がゲルマニウムを含む材質からなるゲルマニウム部材６で形成されてなる。【選択図】　　　　　　　　図１
2004077241.tif 000002
【特許請求の範囲】
【請求項１】
時計本体の裏蓋の外側面の一部がゲルマニウムを含む材質からなるゲルマニウム部材で形成されてなる腕時計。
【請求項２】
請求項１の腕時計において、ゲルマニウム部材は時計本体の裏蓋の外側面から突出していることを特徴とする腕時計。
【請求項３】
請求項１または２の腕時計において、ゲルマニウム部材は時計本体の裏蓋の外側面に設けられた窪みに取付けられていることを特徴とする腕時計。
【請求項４】
請求項１〜３のいずれかの腕時計において、ゲルマニウム部材は時計本体の裏蓋に対して着脱可能であることを特徴とする腕時計。
【発明の詳細な説明】
【０００１】
【発明の属する技術分野】本発明は、健康回復具，健康治療具としての機能を備えた新規な腕時計に係る技術分野に属する。
【０００２】
【従来の技術】一般に、ゲルマニウム（Ｇｅ）については、電気的特性から自律神経を調整し生体の新陳代謝を促進する機能が認められ、特に皮膚への直接的な接触に有効性があるとされている。このため、健康回復具，健康治療具へのゲルマニウムの利用が盛んになっている。
【０００３】
従来、ゲルマニウムを利用した健康回復具，健康治療具としては、例えば、ブレスレッド，ネックレス等の形態を構成したものが知られている。
【０００４】
この従来の健康回復具，健康治療具は、ゲルマニウムが脆いという特性することから、純度の高いゲルマニウムを粒状に形成し他の金属材，合成樹脂材でモールドする等して、ゲルマニウムを強度的に保護する構造が構成されている。
【０００５】
【発明が解決しようとする課題】前述の従来の健康回復具，健康治療具では、ゲルマニウムを保護する構造から外観体裁が粗雑な感じになってしまうため、明らかに健康回復具，健康治療具を装身しているという印象を他人に与えてしまうという問題点がある。また、ゲルマニウムを保護する構造から他の金属材，合成樹脂材の影響でゲルマニウムの電気的特性が阻害されてしまうため、健康回復，健康治療の機能が低下するという問題点がある。
【０００６】
一方、腕時計は、多数の人が日常装身していて他人に何等特別な印象を与えるものではないにもかかわらず、皮膚に常時接触している状態が維持されものである。そこで、本発明者等は、腕時計にゲルマニウムを利用した健康回復具，健康治療具としての機能を備えることを創案するに至った。
【０００７】
本発明は、このような問題点を考慮してなされたもので、ゲルマニウムを利用した健康回復具，健康治療具としての機能を有効に奏する腕時計を提供することを課題とする。
【０００８】
【課題を解決するための手段】前述の課題を解決するため、本発明に係る腕時計は、次のような手段を採用する。
【０００９】
即ち、請求項１では、時計本体の裏蓋の外側面の一部がゲルマニウムを含む材質からなるゲルマニウム部材で形成されてなる。
【００１０】
この手段では、皮膚に常時接触していてしかも外部から視認されない時計本体の裏蓋の外側面にゲルマニウム部材が設けられる。
【００１１】
また、請求項２では、請求項１の腕時計において、ゲルマニウム部材は時計本体の裏蓋の外側面から突出していることを特徴とする。
【００１２】
この手段では、ゲルマニウム部材が時計本体の裏蓋の外側面よりも皮膚に接触しやすい位置に設けられる。
【００１３】
また、請求項３では、請求項１または２の腕時計において、ゲルマニウム部材は時計本体の裏蓋の外側面に設けられた窪みに取付けられていることを特徴とする。
【００１４】
この手段では、ゲルマニウム部材が後付けで時計本体の裏蓋の外側面に設けられる。
【００１５】
また、請求項４では、請求項１〜３のいずれかの腕時計において、ゲルマニウム部材は時計本体の裏蓋に対して着脱可能であることを特徴とする。
【００１６】
この手段では、ゲルマニウム部材が着脱交換可能になる。
【００１７】
【発明の実施の形態】以下、本発明に係る腕時計の実施の形態を図面に基づいて説明する。
【００１８】
図１，図２は、本発明に係る腕時計の実施の形態（１）を示すものである。
【００１９】
この実施の形態では、時計本体１の両側に環状に連結，解除される時計バンド片２，３が取付ピン４，５で取付けられたものが示されている。
【００２０】
時計本体１は、時計機構の大部分を収容する本体フレーム１１の裏側に裏蓋１２が被せられビス等で固定されている。
【００２１】
時計本体１の裏蓋１２の内側面１２ａには、本体フレーム１１に緊密に嵌合して防水性を確保する段付き嵌合部１２ｂが設けられている。時計本体１の裏蓋１２の外側面１２ｃには、大部分の面積を占める浅い窪み１２ｄと、窪み１２ｄの周縁の上部に形成された係止鍔１２ｅとが設けられている。
【００２２】
時計本体１の裏蓋１２の窪み１２ｄには、ゲルマニウムを含む材質からなる円板形のゲルマニウム部材６が取付けられている。
【００２３】
ゲルマニウム部材６については、ゲルマニウムの純度が高いものが好ましいが、肌接触性の良好な金（Ａｕ），銀（Ａｇ）との合金や積層体とすることも可能である。このゲルマニウム部材６は、時計本体１の裏蓋１２の窪み１２ｄの深さよりも厚く形成され、裏面６１が時計本体１の裏蓋１２の窪み１２ｄの底面に接して表面６２が窪み１２ｄから少しの高さＳだけ突出する。また、このゲルマニウム部材６の周縁には、時計本体１の裏蓋１の係止鍔１２ｅに係止可能な係止溝６３が設けられている。
【００２４】
この実施の形態によると、時計本体１の裏蓋１２とゲルマニウム部材６とを別個に製造して、時計本体１の裏蓋１２の窪み１２ｄに後付けで嵌合するようにしてゲルマニウム部材６を取付けることができるため、複雑な加工取付け工作が不要になる。このため、安価なコストで製造することができる。また、嵌合による取付けであるため、時計本体１の裏蓋１２の材質（例えば、合成樹脂材）にかかわらず、ゲルマニウム部材６を簡単に取付けることができる。また、円板形のゲルマニウム部材６が時計本体１の裏蓋１２で裏当てされた格好となっているため、ゲルマニウム部材６が強度的に充分に保護される。
【００２５】
この実施の形態を使用するには、通常の腕時計のように手首付近に巻くようにして装身する。装身された状態では、ゲルマニウム部材６が時計本体１の本体フレーム１１に隠れてしまい、外観的に単に腕時計が装身されていると見られ、健康回復具，健康治療具を装身しているという印象を他人に与えてしまうことはない。なお、ゲルマニウム部材６が係止溝６３で時計本体１の裏蓋１の係止鍔１２ｅに係止しているため、使用中にゲルマニウム部材６が不測に脱落するようなことはない。また、ゲルマニウム部材６の取付けが嵌合であることは取外しも容易であるため、使用途中で必要に応じて適宜ゲルマニウム部材６を交換したり洗浄したりすることも可能である。
【００２６】
装身された状態のゲルマニウム部材６は、常に直接的に皮膚に接触している。そして、ゲルマニウム部材６の強度的な保護は、時計本体１の裏蓋１２による裏当て構造になっている。従って、ゲルマニウム部材６の電気的特性が阻害されてしまうことがなく、健康回復，健康治療の機能が低下することがない。なお、ゲルマニウム部材６が時計本体１の裏蓋１２の外側面１２ｃから突出していることは、ゲルマニウム部材６の皮膚への接触を確実にする。また、ゲルマニウム部材６が　　円板形であることは、時計本体１の裏蓋１２と異なる違和感を生じさせないとともに、皮膚への接触面積が広く確保される。
【００２７】
図３は、本発明に係る腕時計の実施の形態（２）を示すものである。
【００２８】
この実施の形態では、ゲルマニウム部材６が基部にネジ６４が刻設された頭部６５が半球形の塊形からなる。また、時計本体１の裏蓋１２の外側面１２ｃには、ゲルマニウム部材６のネジ６４が螺合するネジ穴１２ｆが複数個設けられている。
【００２９】
この実施の形態によると、ゲルマニウム部材６の時計本体１の裏蓋１２への取付けが強固になる。また、ゲルマニウム部材６の半球形の頭部６５でツボ等を押圧して刺激することがっできる。
【００３０】
図４は、本発明に係る腕時計の実施の形態（３）を示すものである。
【００３１】
この実施の形態では、ゲルマニウム部材６が時計本体１の裏蓋１２の外側面１２ｃに嵌合可能な浅いカップ形に形成されている。
【００３２】
この実施の形態によると、時計本体１の裏蓋１２の外側面１２ｃに特別に加工工作を施さなくても、ゲルマニウム部材６を取付けることができる。
【００３３】
図５は、本発明に係る腕時計の実施の形態（４）を示すものである。
【００３４】
この実施の形態では、ゲルマニウム部材６を溶射技術等により時計本体１の裏蓋１２の外側面１２ｃに積層定着させてある。
【００３５】
この実施の形態によると、ゲルマニウム部材６の時計本体１の裏蓋１２の外側面１２ｃからの脱落を確実に防止することができる。
【００３６】
以上、図示した実施の形態の外に、板形のゲルマニウム部材６を時計本体１の裏蓋１２の外側面１２ｃに接着させることも可能である。
【００３７】
【発明の効果】以上のように、本発明に係る腕時計は、皮膚に常時接触していてしかも外部から視認されない時計本体の裏蓋の外側面にゲルマニウム部材が設けられるため、ゲルマニウムを利用した健康回復具，健康治療具としての機能を有効に奏することができる効果がある。
【００３８】
さらに、請求項２として、ゲルマニウム部材が時計本体の裏蓋の外側面よりも皮膚に接触しやすい位置に設けられるため、ゲルマニウム部材の皮膚への接触を確実にすることができる効果がある。
【００３９】
さらに、請求項３として、ゲルマニウム部材が後付けで時計本体の裏蓋の外側面に設けられるため、ゲルマニウム部材の複雑な加工取付け工作が不要になり安価なコストで製造することができる効果がある。
【００４０】
さらに、請求項４として、ゲルマニウム部材が着脱交換可能になるため、ゲルマニウム部材を簡単に洗浄したりすることができる効果がある。
【図面の簡単な説明】
【図１】本発明に係る腕時計の実施の形態（１）を示す裏面図である。
【図２】図１の要部の拡大断面図である。
【図３】本発明に係る腕時計の実施の形態（２）を示す要部の断面図である。
【図４】本発明に係る腕時計の実施の形態（３）を示す要部の断面図である。
【図５】本発明に係る腕時計の実施の形態（４）を示す要部の断面図である。
【符号の説明】
１　　　　　　　　時計本体
１２　　　　　裏蓋
１２ｃ　　　　外側面
１２ｄ　　　　窪み
６　　　　　　ゲルマニウム部材
【図１】
2004077241.tif 000003
【図２】
2004077241.tif 000004
【図３】
2004077241.tif 000005
【図４】
2004077241.tif 000006
【図５】
2004077241.tif 000007